(57)【要約】      （修正有）【課題】可燃性ガス容器の配管系における安全弁から可燃性ガスが漏洩し始めた場合に、漏洩ガスを安全な場所へ導けるようにした漏洩ガス用応急処理具を提供する。【解決手段】漏洩ガス用応急処理具Ａは、安全弁４が作動して同安全弁の漏洩ガス噴出口４ａから漏洩ガスを生じた場合に、漏洩ガスを受け入れることができるものであり、このため漏洩ガス噴出口４ａを包み込むように安全弁４の外周部に嵌め込まれるようにして被着可能の弾力性材質（弾性ゴムなど）からなる筒状部を含んだ本体５を備えている。そして、本体５には可撓性ホース部材６が接続され、同ホース部材６の先端部には金属材などからなる耐火性のパイプ状漏洩ガス噴出部材７が装着されている。また、漏洩ガス噴出部材７の外周部には、自動車の車体のごとき磁性材製の構造体９に吸着可能のマグネット８が固着されている。【選択図】図１
0003110060.tif 000002
【実用新案登録請求の範囲】
【請求項１】
可燃性ガスの容器に接続された配管系における安全弁からの漏洩ガスを受け入れるべく、同安全弁の漏洩ガス噴出口を包み込むように同安全弁に被着可能の弾力性材質からなる本体と、同本体内に連通するように同本体に一端部を接続されて他端部を上記本体から遠ざけるように処理可能の可撓性ホース部材と、同ホース部材の上記他端部に接続された耐火性の漏洩ガス噴出部材とにより構成されていることを特徴とする、漏洩ガス用応急処理具。
【請求項２】
上記本体が上記安全弁の外周部に嵌め込まれる筒状部を備えるとともに、同筒状部の開口内周縁に、上記安全弁の外周の基端縁へ密嵌係合しうるリング状厚肉部が形成されていることを特徴とする、請求項１に記載の漏洩ガス用応急処理具。
【請求項３】
上記漏洩ガス噴出部材に、マグネットが装備されていることを特徴とする、請求項１または２に記載の漏洩ガス用応急処理具。
【考案の詳細な説明】
【技術分野】
【０００１】
本考案は、ＬＰタンクのごとき可燃性ガス容器の配管系に用いられる応急処理具に関し、特に安全弁に付設するための漏洩ガス用応急処理具に関する。
【背景技術】
【０００２】
一般に、ＬＰガスを充填されたタンクの配管系には、安全弁が付設されていて、ＬＰガスの使用中に異常に高いガス圧を生じた場合、安全弁を介して高圧ガスの噴出が行われるようになっている。
しかしながら、ＬＰガスのごとき可燃性ガスが安全弁から噴出すると、着火して災害を招く恐れがある。
特にＬＰガスをエンジン用の燃料とする自動車では、その燃料系の安全弁からＬＰガスが漏洩すると、ＬＰガスは空気よりも重いため地面を這うようになり、自動車のエンジンの高温部で漏洩ガスが着火して重大な災害を招くことになる。
【特許文献１】特開平９−２５０６４７号公報
【考案の開示】
【考案が解決しようとする課題】
【０００３】
本考案は、可燃性ガス容器の配管系における安全弁から可燃性ガスが漏洩し始めた場合に、同安全弁の漏洩ガス噴出口を包み込むようにして、漏洩ガスを安全な場所へ導けるようにした漏洩ガス用応急処理具を提供することを課題とする。
【課題を解決するための手段】
【０００４】
前述の課題を解決するため、本考案の漏洩ガス用応急処理具は、可燃性ガスの容器に接続された配管系における安全弁からの漏洩ガスを受け入れるべく、同安全弁の漏洩ガス噴出口を包み込むように同安全弁に被着可能の弾力性材質からなる本体と、同本体内に連通するように同本体に一端部を接続されて他端部を上記本体から遠ざけるように処理可能の可撓性ホース部材と、同ホース部材の上記他端部に接続された耐火性の漏洩ガス噴出部材とにより構成されていることを特徴としている。
【０００５】
また、本考案の漏洩ガス用応急処理具は、上記本体が上記安全弁の外周部に嵌め込まれる筒状部を備えるとともに、同筒状部の開口内周縁に、上記安全弁の外周の基端縁へ密嵌係合しうるリング状厚肉部が形成されていることを特徴としている。
【０００６】
さらに、本考案の漏洩ガス用応急処理具は、上記漏洩ガス噴出部材に、マグネットが装備されていることを特徴としている。
【考案の効果】
【０００７】
上述の本考案の漏洩ガス用応急処理具では、可燃性ガスの配管系における安全弁から漏洩ガスが噴出し始めた場合、上記応急処理具の本体が上記安全弁の漏洩ガス噴出口を包み込むようにして同安全弁の外周部に被着されるので、上記漏洩ガスは上記応急処理具の本体内を経由して上記ホース部材へ導かれ、同ホース部材の先端に接続された漏洩ガス噴出部材から安全な場所へ放出されるようになる。
そして、上記漏洩ガス噴出部材が耐火性を有することにより、同噴出部材のガス噴出口で上記漏洩ガスを燃焼させることができる。
【０００８】
また、上記応急処理具の本体が、上記安全弁の外周部に嵌め込まれる筒状部を備えて、同筒状部の開口内周縁に、上記安全弁の外周の基端縁へ密嵌係合しうるリング状厚肉部を形成されていると、上記本体の上記安全弁への被着が安定よく強固に行われるとともに、上記リング状厚肉部の密嵌係合作用により上記本体の脱落防止効果が得られるようになる。
【０００９】
さらに、上記漏洩ガス噴出部材にマグネットが装備されている場合は、同マグネットを用いて、自動車の車体上部などに上記ホース部材の先端部を上向きにして簡便に固定することができ、このようにしてＬＰガスなどの可燃性の重い漏洩気体が地上に這うのを適切に予防することができる。
【考案を実施するための最良の形態】
【００１０】
本考案の漏洩ガス用応急処理具は、営業車などのためのＬＰガス供給場所に常備しておいて、漏洩ガスが臭気などにより検出された場合に応急処理を施すことが望まれるが、ＬＰガスエンジンを搭載する自動車自体において、その安全弁に本処理具を予め装着しておき、処理具本体から延在するホース部材についてはリール部材に巻き付けておくことも可能である。
【実施例】
【００１１】
図１は本考案の一実施例としての漏洩ガス用応急処理具をＬＰガス器具の安全弁に装着した状態で示す要部破断側面図である。
図１に示すように、営業車のＬＰガスタンクのごとき可燃性ガスの容器に接続された配管系１，２において、ガス容器側の配管１からガス機器側の配管２へ至るガス流路の中継部には、漏洩ガス噴出口４ａ，押圧バネ４ｂおよび弁体４ｃを有する安全弁４が装着されている。
そして、ガス機器側の配管２の入口２ａが遮断弁３の弁体３ａで遮断されていても、ガス容器側の配管１は噴出口１ａを介して常に安全弁４に接続された状態とされる。
【００１２】
本実施例の漏洩ガス用応急処理具Ａは、安全弁４が作動して同安全弁の漏洩ガス噴出口４ａから漏洩ガスを生じた場合に、漏洩ガスを受け入れることができるものであり、このため漏洩ガス噴出口４ａを包み込むように安全弁４の外周部に嵌め込まれるようにして被着可能の弾力性材質（弾性ゴムなど）からなる筒状部を含んだ本体５を備えている。
【００１３】
そして、本体５には、同本体５に一端を接続されて他端を同本体５から先端部を遠ざけるように処理可能の可撓性ホース部材６が設けられ、同ホース部材６の先端部には金属材などからなる耐火性のパイプ状漏洩ガス噴出部材７が装着されている。
【００１４】
また、漏洩ガス噴出部材７の外周部には、自動車の車体のごとき磁性材製の構造体９に吸着可能のマグネット８が固着されている。
【００１５】
このようにして、本体５を安全弁４に被着可能に構成される応急処理具Ａは、その本体５を安全弁４の外周部に被せた際に、その脱落を防止できるように、本体５の筒状部の開口内周縁に、安全弁４の外周の基端縁へ密嵌係合しうるリング状厚肉部５ａが形成されている。
【００１６】
上述の本実施例の漏洩ガス用応急処理具では、可燃性ガスの配管系１，２における安全弁４から漏洩ガスが噴出した場合、応急処理具Ａの本体５が安全弁４の漏洩ガス噴出口４ａを包み込むようにして同安全弁４の外周部に被着されるので、上記漏洩ガスは応急処理具Ａの本体５内を経由してホース部材６へ導かれ、同ホース部材６の先端に接続された漏洩ガス噴出部材７から安全な場所へ放出されるようになる。
そして、漏洩ガス噴出部材７が耐火性を有することにより、同噴出部材７のガス噴出口７ａで上記漏洩ガスを燃焼させることができる。
【００１７】
また、応急処理具Ａの本体５が、安全弁４の外周部に嵌め込まれる筒状部を備えて、同筒状部の開口内周縁に、安全弁４の外周の基端縁へ密嵌係合しうるリング状厚肉部５ａを形成されているので、本体５の安全弁４への被着が安定よく強固に行われるとともに、リング状厚肉部５ａの密嵌係合作用により本体５の脱落防止効果が得られるようになる。
【００１８】
さらに、漏洩ガス噴出部材７にマグネット８が装備されている場合は、同マグネット８を用いて、自動車の車体上部などの構造体９にホース部材６の先端部を上向きにして簡便に固定することができ、このようにしてＬＰガスなどの可燃性の重い漏洩気体が地上に這うのを適切に予防することができる。
なお、応急処理具Ａの本体５については、その外周に密嵌される金属製などの硬質のリング部材を備えるようにして、同本体５の脱落防止効果を一層確実に得られるようにしてもよい。
【産業上の利用可能性】
【００１９】
高温の水蒸気の配管系における安全弁についても、通路などに向けて配設されている場合は、上記安全弁からの高温水蒸気が突然噴出して通行人に被害を及ぼさないように、予め本考案の処理具を上記安全弁に装着しておくことが考えられる。
【図面の簡単な説明】
【００２０】
【図１】本考案の一実施例としての漏洩ガス用応急処理具の要部を破断して示す側面図である。
【符号の説明】
【００２１】
１  ガス容器側の配管
１ａ  噴出口
２  ガス機器側の配管
２ａ  入口
３  遮断弁
３ａ  弁体
４  安全弁
４ａ  漏洩ガス噴出口
４ｂ  押圧バネ
４ｃ  弁体
５  本体
５ａ  リング状厚肉部
６  ホース部材
７  漏洩ガス噴出部材
７ａ  ガス噴出口
８  マグネット
９  磁性材製構造体
Ａ  応急処理具
【図１】
0003110060.tif 000003